【事件の表示】
　平成　６年特許願第２３８３８９号「パチンコ機のタンクレールに付設する球ならし部材の軸支構造」拒絶査定不服審判事件〔平成　８年　３月１９日出願公開、特開平　８−　７１２１０〕について、次のとおり審決する。
【結　論】
　本件審判の請求は、成り立たない。
【理　由】
　
第一、手続きの経緯
　本願は、平成６年９月５日の出願であって、平成１５年７月３０日付けで拒絶理由が通知され、これに対し、平成１５年１０月６日付けで手続補正がなされ、平成１６年５月１７日付けで最後の拒絶理由が通知され、これに対し、平成１６年７月２３日付けで手続補正がなされ、平成１６年８月２３日付けで、前記平成１６年７月２３日付けの手続補正の却下の決定及び拒絶査定がなされ、これに対し、平成１６年９月３０日付けで審判請求がなされるとともに、平成１６年１１月１日付けで手続補正がなされたものである。　
　
第二、平成１６年１１月１日付けの手続補正についての補正却下の決定
［補正却下の決定の結論］
　平成１６年１１月１日付けの手続補正（以下、「本件補正」という。）を却下する。
［理由］
（１ａ）補正の目的について 
　本件補正は、平成１５年１０月６日付けの手続補正により補正された特許請求の範囲の、 
 「【請求項１】　球タンクのパチンコ球をパチンコ球払出装置に流送するタンクレールの上方に横軸を設けると共に、該横軸に球ならし部材を揺動自在に軸支してなるパチンコ機において、
　前記球ならし部材は上端に前記横軸の直径より大きい直径とした軸通孔を形成し、前記横軸に前記軸通孔を挿通することによって前記球ならし部材を横軸と軸通孔の間の隙間の範囲内で自由に遊動させるようにしたことを特徴とするパチンコ機のタンクレールに付設する球ならし部材の軸支構造。」 
 を以下のように補正するものである。　 
 　　　 
 「【請求項１】　底部及び前側壁とにより樋状に形成され球タンクのパチンコ球をパチンコ球払出装置に流送するタンクレールと、前記タンクレールの上方に突設させた横軸と、前記横軸に揺動自在に軸支した球ならし部材とを備えたパチンコ機において、
　前記横軸をその先端が前記タンクレールの前側壁の内面に当接する長さとすると共に、前記横軸に挿通する前記球ならし部材の軸通孔の直径を該横軸の直径より大きく形成し、それによって球ならし部材を横軸と軸通孔の間の隙間の範囲内で自由に遊動させるようにしたことを特徴とするパチンコ機のタンクレールに付設する球ならし部材の軸支構造。」  
　 
　本件補正により「軸通孔」の構成は、球ならし部材の「上端に形成」との構成が削除されたので、「軸通孔」の構成は実質的に拡張された。　 
　したがって、本件補正は、平成６年改正前特許法第１７条の２第３項各号に規定する、請求項の削除、特許請求の範囲の減縮、誤記の訂正、及び明りょうでない記載の釈明のいずれをも目的とするものでないことは明らかである。　
　（１ｂ）むすび 
　以上のとおり、本件補正は、平成６年改正前特許法第１７条の２第３項各号に規定する要件を満たしておらず、同法第１５９条第１項において読み替えて準用する同法第５３条第１項の規定により却下すべきものである。
　　　
　（２ａ）独立特許要件について
　上記「（１ｂ）」に記載のとおり、本件補正は平成６年改正前特許法第１７条の２第３項各号に規定する要件を満たしていないが、本件補正による「横軸に揺動自在に軸支した球ならし部材」との事項と、「球ならし部材を横軸と軸通孔の間の隙間の範囲内で自由に遊動させるようにした」との事項とを総和した技術事項が、補正前（平成１５年１０月６日付け手続補正により補正された特許請求の範囲）の請求項１に記載された発明の構成に欠くことができない事項である「球ならし部材は上端に軸通孔を形成」の技術事項と同義と解することが可能であるとすると、本件補正は、 補正前の発明の構成に欠くことができない事項である「タンクレール」を、「底部及び前側壁とにより樋状に形成されるタンクレール」と限定し、また「横軸」を、「突設させた横軸」及び「その先端がタンクレールの前側壁の内面に当接する長さとする」に限定するものであるから、本件補正は、平成６年改正前特許法第１７条の２第３項第２号の特許請求の範囲の減縮を目的とするものに該当する。
　
　（２ｂ）そこで、本件補正後の前記請求項１に記載された発明（以下、「本願補正発明」という。）が特許出願の際独立して特許を受けることができるものであるのか（平成６年改正前特許法第１７条の２第４項において準用する同法第１２６条第３項の規定に適合するか）について以下に検討する。
　
　（あ）原査定の拒絶理由通知に引用された刊行物、及び周知の刊行物に記載された発明
　刊行物１；実願昭５９−４９４７０号（実開昭６０−１６０８７９号）の
　　　　　　マイクロフィルム
　刊行物２；実公昭４８−２２８４９号公報
　周知の刊行物ア；実願平２−５２７２７号
　　　　　　　　　　（実開平４−１１０７４号）のマイクロフィルム
　周知の刊行物イ；実願平２−３８７２１号
　　　　　　　　　　（実開平３−１２９１７５号）のマイクロフィルム
　
　実願昭５９−４９４７０号（実開昭６０−１６０８７９号）のマイクロフィルム（以下、「引用刊行物１」という。）における、
　（１−１）明細書第１頁第１９行乃至第２頁第９行には、「（従来技術）
  従来、例えば賞球タンクと賞球口に繋がる曲路との間に介在される誘導樋の玉流路上方において玉均し部材を軸支し、複数段状に重なり合っているパチンコ玉に対し、その荷重によって、上記玉流路に向けた押し下げ力、流下を阻止する抵抗力などを加えることにより、上記パチンコ玉を一段状に整列させるようにした、パチンコ機の玉均し装置が知られている。そして、このようなものとして、第９図あるいは第１０図に示すものが既に存在している。」と、
　（１−２）明細書第４頁第４行乃至第１９行には、「また、第１０図に示すものについて説明すると、同図において符号５６で示すものが玉均し部材である。この玉均し部材５６も第９図に示す玉均し部材５５とは異るが、やはり断面腕状を呈し、その自由端側を下端にして誘導樋５４の玉流路５４Ａの上方において回動自在に軸支されている。玉均し部材５６の自由端部及び中間部には、重錘５６Ａ，５６Ｂが取り付けられている。この構成により、２段状となって玉が流れてくると２段目の玉に玉均し部材５６の下端が当って、その結果、２段目の玉の流下を阻止することにより、一段目の玉を自然流下させたのち、落下させ、流下した一段目の玉に引き続いて流下させるようにして、２段状となっているパチンコ玉を一段状に整列するようにしたものである。」と、
　（１−３）明細書第５頁第１３行乃至第１８行には、「（考案の目的）
  本考案は、上記従来技術の有する欠点に鑑みてなされたもので、その目的とするところは、玉均し能力の玉圧による影響を小さくすることができる、パチンコ機の玉均し装置を提供することにある。」と、
　（１−４）明細書第７頁第４行乃至第１８行には、「（実施例）
  以下本考案を図示実施例につき詳細に説明する。
  まず、第１図〜第３図において１は本考案の誘導樋であり、この誘導樋１は、賞球タンク５０からのパチンコ球を受ける玉受通路５１と図示しない賞球口に繋がる曲路５２との間に図示の如く傾斜が持たされて介在されているものであり、・・・中間壁２を有し、これを隔てて前後に２つの玉流路３，３′が形成されている二条樋構成のものである。これにより、玉受通路５１からのパチンコ玉は、誘導樋１の玉流路３，３′を流下して曲路５２内に流入するようになっている。」と、
　（１−５）明細書第９頁第５行乃至第１０頁第５行には、「中間壁２は、この整列壁４の上方に突出する支持壁２Ｂを有しており、この支持壁２Ｂには、軸受部２Ｃが形成され、さらに、この軸受部２Ｃの外方上部に半円筒状の揺れ止壁２Ｄが形成されている。軸受部２Ｃは、平坦壁４Ｂと湾曲壁４Ｃとの境い目の上方に略位置されており、支軸５が遊挿されているものである。
　６は玉均し部材となるウエイトであり、このウエイト６は、金属（例えば、炭素鋼）により偏平円錐状に形成されていて周部が円形を呈するものとなっており、支軸５の両端に一つずつ支持されている。６Ａは、支軸５が挿通される円孔である。この円孔６Ａは、支軸５よりも大径に形成され、ウエイト６は、玉流路３，３′の上方において回転自在かつ半径方向及び軸方向に揺動自在に支持されているものである。この構成によれば、パチンコ玉にウエイト６の荷重をかけることができるとともに、その作用範囲を広げ、かつ、ウエイト６と玉流路３，３′との間にパチンコ玉を極力引っ掛からないようにすることができるものである。」と、それぞれ記載されている。
　
　そして「玉均し部材５６」について、従来の玉均し装置を説明するための説明図である【第１０図】を参照すると「玉均し部材５６は、その上端で軸支されている」様子が示されているから、上記の記載事項とを併せると、
　引用刊行物１には、従来技術として、
「　賞球タンクと賞球口に繋がる曲路との間に介在される誘導樋５４と、前記誘導樋５４の玉流路５４Ａ上方において回動自在にその上端で軸支されている玉均し部材５６とを備え、パチンコ玉を一段状に整列させるようにしたパチンコ機において、　
　前記玉均し部材５６を、その自由端側を下端にして回動自在とした、
　パチンコ機の誘導樋の玉流路上方に軸支した玉均し部材の軸支構造。」の発明（以下、「引用発明（１の１）」という。）が記載され、
　また、実施例として、
「　賞球タンク５０からのパチンコ球を受ける玉受通路５１と賞球口に繋がる曲路５２との間に介在され、前後に２つの玉流路３，３′が形成されている誘導樋１と、誘導樋１の中間壁２が有する支持壁２Ｂに形成された軸受部２Ｃに遊挿されている支軸５と、玉流路３，３′の上方において回転自在かつ半径方向及び軸方向に揺動自在に前記支軸５の両端に一つずつ支持され玉均し部材となるウエイト６とを備えたパチンコ機において、
　支軸５が挿通される円孔６Ａは、支軸５よりも大径に形成され、玉流路３，３′の上方において回転自在かつ半径方向及び軸方向に揺動自在に支持されている、パチンコ機のウエイト６の支持構造。」の発明（以下、「引用発明（１の２）」という。）が記載されていると認められる。
　
　実公昭４８−２２８４９号公報（以下、「引用刊行物２」という。）における、
　（２−１）第１頁第１欄第１７行乃至第３７行には、「考案の詳細な説明
　この考案は、パチンコ遊技機において受皿等に貯留されている遊技球を、上記受皿と連通する誘導樋に転送させる課程で、上記誘導樋に整列される球が二段状に重なるのを円滑的に防止して誘導樋内における遊技球が誘導樋による一列をして一段状となるように整列させる遊技球整列装置に関する。
　以下、これを図示について述べれば、１は、支軸２に緩く軸装されているリングで、該リング１は遊技球３を貯留させる受皿４に接続される誘導樋５の球受入口附近にして、・・・に設置されている。
　そして、上記リング１は支軸２に対しては内径１′の大きさをして上下方向はもとより前後左右方向にも揺動可能にされており、通常では第３図Ａで示す如くリングでの自重でリング下面は最下位にとどまるようにして静止している。」と、
　（２−２）第１頁第２欄第２５行乃至第２９行には、「なお、本案装置は、上記では遊技球を打球としてハンドル杵先部に供給する場合の系統について図示したが、これは、貯留タンクから賞球用球靱に遊技球を供給する系統においても同効に使用できること勿論である。」と、それぞれ記載されている。
　　
　したがって、引用刊行物２には、
「　貯留タンクから賞球用球靱に遊技球を供給するパチンコ遊技機の遊技球整列装置において、
　リング１は誘導樋５の球受入口附近に設置され、上記リング１は支軸２に対して内径１′の大きさをして緩く軸装され、上下方向はもとより前後左右方向にも揺動可能にされている、遊技球整列装置。」の発明（以下、「引用発明２」という。）が記載されていると認められる。
　
　本願出願前に頒布された実願平２−５２７２７号（実開平４−１１０７４号）のマイクロフィルム（以下、「周知刊行物ア」という。）の、
　明細書第２頁第３行乃至第６行には、「本考案は取付板の前面に一対の開閉翼片を軸支し、・・・したパチンコ機のセーフ球受口器に関するものである。」と、
　明細書第５頁第１６行乃至第１９行には、「取付板１０は、・・・後述する支持ピン３２，３２後端の嵌入盲孔１２，１２と、・・・が設けられている。」と、
　明細書第６頁第２０行乃至第７頁第１０行には、「チヤツカー３０は、その前面板３１の内側に支持ピン３２，３２が一体に形成されている。・・・
　５０は開閉翼片４０，４０の起立と傾動を制御する回転体である。」と、
　明細書第８頁第５行乃至第６行には、「またチヤツカー３０の支持ピン３２，３２に開閉翼片４０，４０の挿通孔４１，４１を通し、」と、それぞれ記載されている。
　そして、これらの記載と、分解斜視図である第３図に示された事項とを併せると、
　周知刊行物アには、
「前面板３１の内側に突設した支持ピン３２，３２に開閉翼片４０，４０の挿通孔４１，４１を通し、支持ピン３２，３２の後端を取付板１０の嵌入盲孔１２，１２に嵌入させる、パチンコ機のセーフ球受口器。」の発明（以下、「周知発明ア」という。）が記載されていると認められる。
　
　本願出願前に頒布された実願平２−３８７２１号（実開平３−１２９１７５号）のマイクロフィルム（以下、「周知刊行物イ」という。）の、
　明細書第２頁第６行乃至第８行には、「本考案は起立及び傾動自由な一対の開閉翼片を有するパチンコ機のセーフ球受口器に関するものである。」と、
　明細書第５頁第３行乃至第１９行には、「前記レンズ部材３には・・・軸受用の凹孔６，６と・・・が設けられる。・・・
　１４はチヤツカーであり、その前面板１５の内側の上部両側には開閉翼片１２，１２の挿入孔１３，１３に挿通する支持軸１６，１６が突設される。」と、
　明細書第６頁第２行乃至第４行には、「この実施例のセーフ球受口器は、チヤツカー１４の支持軸１６，１６に開閉翼片１２，１２の挿入孔１３，１３を通してその後端を凹孔６，６に嵌め、・・・」と、それぞれ記載されている。
　そして、これらの記載と、分解斜視図である第２図に示された事項とを併せると、
　周知刊行物イには、
「前面板１５の内側に突設した支持軸１６，１６に一対の開閉翼片１２，１２の挿入孔１３，１３を通し、支持軸１６，１６の後端をレンズ部材３の軸受用の凹孔６，６に嵌める、パチンコ機のセーフ球受口器。」の発明（以下、「周知発明イ」という。）が記載されていると認められる。
　
　（い）本願補正発明と引用発明（１の１）との比較・検討
　引用発明（１の１）の「賞球タンク」は、本願補正発明の「球タンク」に相当し、以下同様に、「パチンコ玉」は「パチンコ球」に、「誘導樋５４」は「樋状に形成されるタンクレール」に、「玉均し部材５６」は「球ならし部材」に、「パチンコ機」は「パチンコ機」に、「軸支構造」は「軸支構造」に、それぞれ相当する。そして、引用発明（１の１）の「誘導樋５４の玉流路５４Ａ上方において回動自在にその上端で軸支されている玉均し部材５６」と本願補正発明の「タンクレールの上方に突設させた横軸と、前記横軸に揺動自在に軸支した球ならし部材」とを比較すると、「回動自在に軸支」は「揺動自在に軸支」に相当するから、「タンクレールの上方において揺動自在に軸支した球ならし部材」において共通し、以下同様に、「玉均し部材５６を、その自由端側を下端にして回動自在とした」との技術事項と「球ならし部材を横軸と軸通孔の間の隙間の範囲内で自由に遊動させるようにした」との技術事項とを比較すると、「球ならし部材を移動させるようにした」において共通する。また、引用発明（１の１）の「パチンコ機の誘導樋の玉流路上方に軸支した玉均し部材の軸支構造」との技術事項と本願補正発明の「パチンコ機のタンクレールに付設する球ならし部材の軸支構造」との技術事項とを比較すると、上記「（１−１）」に記載のように、「誘導樋の玉流路上方において玉均し部材を軸支し、複数段状に重なり合っているパチンコ玉に対し、その荷重によって、上記玉流路に向けた押し下げ力、流下を阻止する抵抗力などを加えることにより、上記パチンコ玉を一段状に整列させるようにした」、即ち玉均し部材の荷重を誘導樋の玉流路に向けて作用するように軸支したのであるから、「パチンコ機のタンクレールに付設する球ならし部材の軸支構造」において一致する。さらに、パチンコ機が「底部及び前側壁とにより樋状に形成されるタンクレール」及び「球タンクのパチンコ球をパチンコ球払出装置に流送するタンクレール」を備えることは当該技術分野において自明であるから、両者の一致点及び相違点は次のとおりである。
　
　一致点
　底部及び前側壁とにより樋状に形成され球タンクのパチンコ球をパチンコ球払出装置に流送するタンクレールと、前記タンクレールの上方において揺動自在に軸支した球ならし部材とを備えたパチンコ機において、
　前記球ならし部材を移動させるようにしたことを特徴とするパチンコ機のタンクレールに付設する球ならし部材の軸支構造。
　
　相違点Ａ
　タンクレールの上方における球ならし部材の軸支が、本願補正発明では突設させた横軸によるものであり、横軸の先端が前記タンクレールの前側壁の内面に当接する長さとするのに対し、引用発明（１の１）では、そのような構成を有するかどうか明らかでない点
　相違点Ｂ
　球ならし部材が、本願補正発明では横軸に挿通する前記球ならし部材の軸通孔の直径を該横軸の直径より大きく形成し、それによって横軸と軸通孔の間の隙間の範囲内で自由に遊動させているのに対し、引用発明（１の１）では、揺動自在に軸支されている点
　
　そこで、上記相違点について検討する。
　相違点Ａについて　　
　突設させた横軸に揺動部材を軸支し、該横軸の先端が対向壁の内面に当接する長さとする技術は、例えば、周知発明ア及びイに示すように、周知技術である。そして、タンクレールは前側壁を備えていること、及び引用発明（１の１）の軸がタンクレールの上方に設けられていることを併せて考慮すれば、上記の周知技術を引用発明（１の１）の球ならし部材の軸支に適用し、相違点Ａに係る構成とすることは当業者が容易になし得たものである。
　相違点Ｂについて　
　引用発明（１の２）及び引用発明２には、球ならし部材に関し、「横軸に揺動自在に軸支され、前記横軸に挿通する前記球ならし部材の軸通孔の直径を該横軸の直径より大きく形成し、それによって横軸と軸通孔の間の隙間の範囲内で自由に遊動させる」技術が記載されている。ここで、引用発明（１の１）及び引用発明（１の２）並びに引用発明２は、軸支した球ならし部材において共通しているから、上記の技術を引用発明（１の１）の球ならし部材に適用し、相違点Ｂに係る構成とすることは当業者が容易になし得たものである。
　
　そして、効果の点においても、引用発明（１の１）は、「パチンコ玉を一段状に整列させる」ものであるから、本願補正発明が格別の効果を有するとは認められない。
　
　よって、本願補正発明は、引用発明（１の１）、引用発明（１の２）及び引用発明２並びに周知技術に基づいて、当業者が容易に発明をすることができたものであるから、特許法第２９条第２項の規定により特許出願の際独立して特許を受けることができないものである。
　
　（う）むすび
　以上のとおり、本件補正は、平成６年改正前特許法第１７条の２第４項で準用する同法第１２６条第３項の規定に違反するものであり、特許法第１５９条第１項で読み替えて準用する特許法第５３条第１項の規定により却下されるべきものである。
　
第三、本願発明について
　平成１６年１１月１日付けの手続補正は上記のとおり却下され、また、上記「第一、手続きの経緯」に示すように、平成１６年７月２３日付けの手続補正は既に却下されているので、本願の請求項１に係る発明は、平成１５年１０月６日付け手続補正書の特許請求の範囲の請求項１に記載されたとおりの、次のとおりのものである。
　「球タンクのパチンコ球をパチンコ球払出装置に流送するタンクレールの上方に横軸を設けると共に、該横軸に球ならし部材を揺動自在に軸支してなるパチンコ機において、
　前記球ならし部材は上端に前記横軸の直径より大きい直径とした軸通孔を形成し、前記横軸に前記軸通孔を挿通することによって前記球ならし部材を横軸と軸通孔の間の隙間の範囲内で自由に遊動させるようにしたことを特徴とするパチンコ機のタンクレールに付設する球ならし部材の軸支構造。」（以下、「本願発明」という。）
　
　（１）刊行物に記載された発明
　原査定の拒絶理由通知に引用された刊行物（引用刊行物１及び引用刊行物２）、及びそれらの記載事項は前記「第二、（２ｂ）（あ）」に記載したとおりである。
　
　（２）本願発明と引用発明（１の１）との比較・検討
　引用発明（１の１）の「賞球タンク」は、本願発明の「球タンク」に相当し、以下同様に、「パチンコ玉」は「パチンコ球」に、「誘導樋５４」は「タンクレール」に、「玉均し部材５６」は「球ならし部材」に、「パチンコ機」は「パチンコ機」に、「軸支構造」は「軸支構造」に、それぞれ相当する。そして、引用発明（１の１）の「誘導樋５４の玉流路５４Ａ上方において回動自在にその上端で軸支されている玉均し部材５６」と本願発明の「タンクレールの上方に横軸を設けると共に、該横軸に球ならし部材を揺動自在に軸支してなる」とを比較すると、「回動自在に軸支」は「揺動自在に軸支」に相当するから、「タンクレールの上方において球ならし部材を揺動自在に軸支してなる」において共通し、以下同様に、「玉均し部材５６を、その自由端側を下端にして回動自在とした」との技術事項と「球ならし部材は上端に前記横軸の直径より大きい直径とした軸通孔を形成し、前記横軸に前記軸通孔を挿通することによって前記球ならし部材を横軸と軸通孔の間の隙間の範囲内で自由に遊動させるようにした」との技術事項とを比較すると、玉均し部材は、その上端で軸支されているのであるから、「球ならし部材はその上端で軸支することによって前記球ならし部材を移動させるようにした」において共通する。また、引用発明（１の１）の「パチンコ機の誘導樋の玉流路上方に軸支した玉均し部材の軸支構造」との技術事項と本願発明の「パチンコ機のタンクレールに付設する球ならし部材の軸支構造」との技術事項とを比較すると、上記「（１−１）」に記載のように、「誘導樋の玉流路上方において玉均し部材を軸支し、複数段状に重なり合っているパチンコ玉に対し、その荷重によって、上記玉流路に向けた押し下げ力、流下を阻止する抵抗力などを加えることにより、上記パチンコ玉を一段状に整列させるようにした」、即ち玉均し部材の荷重を誘導樋の玉流路に向けて作用するように軸支したのであるから、「パチンコ機のタンクレールに付設する球ならし部材の軸支構造」において一致する。さらに、パチンコ機のタンクレールが「球タンクのパチンコ球をパチンコ球払出装置に流送する」作用を行うことは当該技術分野において周知の技術であるから、両者の一致点及び相違点は次のとおりである。
　
　一致点
　球タンクのパチンコ球をパチンコ球払出装置に流送するタンクレールの上方において球ならし部材を揺動自在に軸支してなるパチンコ機において、
　前記球ならし部材はその上端で軸支することによって前記球ならし部材を移動させるようにしたことを特徴とするパチンコ機のタンクレールに付設する球ならし部材の軸支構造。
　
　相違点Ｘ
　タンクレールの上方における球ならし部材の軸支が、本願発明では横軸によるものであるのに対し、引用発明（１の１）では、横軸によるものであるのかどうか明らかでない点
　相違点Ｙ
　その上端で軸支される球ならし部材が、本願発明では上端に横軸の直径より大きい直径とした軸通孔を形成し、前記横軸に前記軸通孔を挿通することによって横軸と軸通孔の間の隙間の範囲内で自由に遊動させているのに対し、引用発明（１の１）では、揺動自在に軸支されている点
　
　そこで、上記相違点について検討する。
　相違点Ｘについて　　
　横軸により球ならし部材を軸支する技術は、引用発明（１の２）における「支軸５」として、また引用発明２における「支軸２」として、示されている。ここで、引用発明（１の１）及び引用発明（１の２）並びに引用発明２は、軸支した球ならし部材において共通しているから、上記の技術を引用発明（１の１）の球ならし部材の軸支に適用し、相違点Ｘに係る構成とすることは当業者が容易になし得ることである。
　
　相違点Ｙについて　
　引用発明（１の２）及び引用発明２には、球ならし部材に関し、「横軸に揺動自在に軸支され、前記横軸の直径より大きい直径とした軸通孔を形成し、前記横軸に前記軸通孔を挿通することによって横軸と軸通孔の間の隙間の範囲内で自由に遊動させる」技術が記載されている。ここで、引用発明（１の１）及び引用発明（１の２）並びに引用発明２は、軸支した球ならし部材において共通しているから、上記の技術を引用発明（１の１）の球ならし部材の上端の軸支部分に適用し、相違点Ｙに係る構成とすることは当業者が容易になし得たものである。
　
　そして、効果の点においても、引用発明（１の１）は、「パチンコ玉を一段状に整列させる」ものであるから、本願発明が格別の効果を有するとは認められない。
　
　（３）むすび
　以上のとおり、本願発明は、引用発明（１の１）及び引用発明（１の２）並びに引用発明２に基づいて、当業者が容易に発明をすることができたものであるから、特許法第２９条第２項の規定により特許を受けることができない。
　よって、結論のとおり審決する。